(57)【要約】      （修正有）【課題】取付作業性に秀れた折版屋根用の雪止具を提供すること。【解決手段】雪止アングル２の垂下片部２Ａの外面に重合当接する垂下板部３Ａの上部に、前記雪止アングル２の水平片部２Ｂの上面に重合当接する水平板部３Ｂを連設状態に設け、この垂下板部３Ａを雪止部３Ａとして前記折版屋根１の谷部１Ｂ内に垂下配設し得るように構成した雪止板体３と、この雪止板体３の垂下板部３Ａと水平板部３Ｂを前記雪止アングル２の垂下片部２Ａと水平片部２Ｂとに重合当接した際に、雪止アングル２に対し雪止板体３を抜け止め状態とする取付体４とから成り、前記雪止板体３の垂下板部３Ａと水平板部３Ｂとに挿通孔５を設け、この垂下板部３Ａの挿通孔５と水平板部３Ｂの挿通孔５とに前記取付体４を挿通配設することで、この取付体４を垂下板部３Ａと水平板部３Ｂとの間に架設状態に取付し得るように構成する。【選択図】図２
2006291481.tif 000002
【特許請求の範囲】
【請求項１】
折版屋根の頂部間に架設固定される雪止アングルに取り付けすることで、前記折版屋根の頂部間の谷部に配設される折版屋根用の雪止具において、前記雪止アングルの垂下片部の外面に重合当接する垂下板部の上部に、前記雪止アングルの水平片部の上面に重合当接する水平板部を連設状態に設け、この垂下板部を雪止部として前記折版屋根の谷部内に垂下配設し得るように構成した雪止板体と、この雪止板体の垂下板部と水平板部を前記雪止アングルの垂下片部と水平片部とに重合当接した際に、前記雪止板体の垂下板部と前記水平板部との間に架設状態に取付することで前記雪止アングルの垂下片部の端縁と水平片部の端縁とに近接若しくは当接して雪止アングルに対し雪止板体を抜け止め状態とする取付体とから成り、前記雪止板体の垂下板部と水平板部とに挿通孔を設け、この垂下板部の挿通孔と水平板部の挿通孔とに前記取付体を挿通配設することで、この取付体を垂下板部と水平板部との間に架設状態に取付し得るように構成したことを特徴とする折版屋根用の雪止具。
【請求項２】
前記取付体を前記雪止板体の垂下板部の挿通孔と水平板部の挿通孔とに挿通した際、垂下板部と水平板部の挿通孔から突出する取付体の両端部のうちの少なくとも一方を屈曲することで、雪止板体に対し取付体を抜け止め状態に取付する構成としたことを特徴とする請求項１記載の折版屋根用の雪止具。
【請求項３】
前記取付体の挿通基端部に、前記挿通孔の孔幅よりも幅広な抜け止め部を形成し、この取付体を前記雪止板体の垂下板部の挿通孔と水平板部の挿通孔とに挿通した際、前記抜け止め部を垂下板部若しくは水平板部の挿通孔孔縁に当接すると共に、水平板部若しくは垂下板部の挿通孔より突出する取付体の挿通先端部を屈曲することで、雪止板体に対し取付体を抜け止め状態に取付する構成としたことを特徴とする請求項１，２のいずれか１項に記載の折版屋根用の雪止具。
【請求項４】
前記雪止板体の垂下板部に複数の挿通孔を設けると共に、雪止板体の水平板部に複数の挿通孔を設け、前記雪止アングルの大きさに応じてこの垂下板部の各挿通孔のいずれかと水平板部の各挿通孔のいずれかとを選択して前記取付体を挿通配設することで、この取付体を垂下板部と前記水平板部との間に架設状態に取付し得るように構成したことを特徴とする請求項１〜３のいずれか１項に記載の折版屋根用の雪止具。
【発明の詳細な説明】
【技術分野】
【０００１】
本発明は、折版屋根の頂部間に架設状態に固定される雪止アングルに対して取付することで、前記頂部間の谷部内に配設してこの谷部の積雪の落下を防止する折版屋根用の雪止具に関するものである。
【背景技術】
【０００２】
従来、折版屋根の谷部に配する雪止具としては、様々なものが開発されている（例えば、特許文献１参照。）。
【０００３】
【特許文献１】特開平９−２８７２５８号公報
【発明の開示】
【発明が解決しようとする課題】
【０００４】
本発明は、この種雪止具の雪止アングルに対する取付作業性を追及したもので、取付作業性に著しく秀でた折版屋根用の雪止具を提供することが技術的課題である。
【課題を解決するための手段】
【０００５】
添付図面を参照して本発明の要旨を説明する。
【０００６】
折版屋根１の頂部１Ａ間に架設固定される雪止アングル２に取り付けすることで、前記折版屋根１の頂部１Ａ間の谷部１Ｂに配設される折版屋根用の雪止具において、前記雪止アングル２の垂下片部２Ａの外面に重合当接する垂下板部３Ａの上部に、前記雪止アングル２の水平片部２Ｂの上面に重合当接する水平板部３Ｂを連設状態に設け、この垂下板部３Ａを雪止部３Ａとして前記折版屋根１の谷部１Ｂ内に垂下配設し得るように構成した雪止板体３と、この雪止板体３の垂下板部３Ａと水平板部３Ｂを前記雪止アングル２の垂下片部２Ａと水平片部２Ｂとに重合当接した際に、前記雪止板体３の垂下板部３Ａと前記水平板部３Ｂとの間に架設状態に取付することで前記雪止アングル２の垂下片部２Ａの端縁と水平片部２Ｂの端縁とに近接若しくは当接して雪止アングル２に対し雪止板体３を抜け止め状態とする取付体４とから成り、前記雪止板体３の垂下板部３Ａと水平板部３Ｂとに挿通孔５を設け、この垂下板部３Ａの挿通孔５と水平板部３Ｂの挿通孔５とに前記取付体４を挿通配設することで、この取付体４を垂下板部３Ａと水平板部３Ｂとの間に架設状態に取付し得るように構成したことを特徴とする折版屋根用の雪止具に係るものである。
【０００７】
また、前記取付体４を前記雪止板体３の垂下板部３Ａの挿通孔５と水平板部３Ｂの挿通孔５とに挿通した際、垂下板部３Ａと水平板部３Ｂの挿通孔５から突出する取付体４の両端部のうちの少なくとも一方を屈曲することで、雪止板体３に対し取付体４を抜け止め状態に取付する構成としたことを特徴とする請求項１記載の折版屋根用の雪止具に係るものである。
【０００８】
また、前記取付体４の挿通基端部に、前記挿通孔５の孔幅よりも幅広な抜け止め部４Ａを形成し、この取付体４を前記雪止板体３の垂下板部３Ａの挿通孔５と水平板部３Ｂの挿通孔５とに挿通した際、前記抜け止め部４Ａを垂下板部３Ａ若しくは水平板部３Ｂの挿通孔５孔縁に当接すると共に、水平板部３Ｂ若しくは垂下板部３Ａの挿通孔５より突出する取付体４の挿通先端部を屈曲することで、雪止板体３に対し取付体４を抜け止め状態に取付する構成としたことを特徴とする請求項１，２のいずれか１項に記載の折版屋根用の雪止具に係るものである。
【０００９】
また、前記雪止板体３の垂下板部３Ａに複数の挿通孔５を設けると共に、雪止板体３の水平板部３Ｂに複数の挿通孔５を設け、前記雪止アングル２の大きさに応じてこの垂下板部３Ａの各挿通孔５のいずれかと水平板部３Ｂの各挿通孔５のいずれかとを選択して前記取付体４を挿通配設することで、この取付体４を垂下板部３Ａと前記水平板部３Ｂとの間に架設状態に取付し得るように構成したことを特徴とする請求項１〜３のいずれか１項に記載の折版屋根用の雪止具に係るものである。
【発明の効果】
【００１０】
本発明は上述のように構成したから、雪止アングルに雪止板体を被嵌当接した上で、垂下板部の挿通孔と水平板部の挿通孔とに前記取付体を挿通配設するだけの非常に簡単な取付作業により、雪止アングルに対し雪止板体を取付できる極めて作業性に秀れ、実用性に秀れた画期的な折版屋根用の雪止具となる。
【００１１】
また、請求項２，３記載の発明においては、非常に簡単な作業により、確固に取付体を雪止板体に取付できる一層実用性に秀れた構成の折版屋根用の雪止具となる。
【００１２】
また、請求項４記載の発明においては、取付体を挿通する挿通孔を選択することで、様々な大きさの雪止アングルに対して取付可能となる一層汎用性に秀れ、実用性に秀れた構成の折版屋根用の雪止具となる。
【発明を実施するための最良の形態】
【００１３】
好適と考える本発明の実施形態（発明をどのように実施するか）を、図面に基づいて本発明の作用を示して簡単に説明する。
【００１４】
先ず、折版屋根１の頂部１Ａ間に架設固定されている雪止アングル２の上方から雪止板体３を被嵌するようにして、垂下片部２Ａに垂下板部３Ａを重合当接し、水平片部２Ｂに水平板部３Ｂを重合当接し、垂下板部３Ａたる雪止部３Ａを頂部１Ａ間の谷部１Ｂに配設する。
【００１５】
次いで、垂下板部３Ａの挿通孔５と水平板部３Ｂの挿通孔５とに前記取付体４を挿通配設することで、この取付体４を垂下板部３Ａと水平板部３Ｂとの間に架設状態に取付すると、この取付体４が雪止アングル２の垂下片部２Ａの端縁と水平片部２Ｂの端縁とに近接若しくは当接して、雪止アングル２に対し雪止板体３が抜け止め状態に保持される。
【００１６】
従って、このように雪止アングル２に雪止板体３を被嵌当接した上で、垂下板部３Ａの挿通孔５と水平板部３Ｂの挿通孔５とに前記取付体４を挿通配設するだけの極めて簡単な取付作業により、雪止アングル２に対し雪止板体３を取付できる。
【００１７】
また、例えば、前記取付体４を前記雪止板体３の垂下板部３Ａの挿通孔５と水平板部３Ｂの挿通孔５とに挿通した際、垂下板部３Ａと水平板部３Ｂの挿通孔５から突出する取付体４の両端部のうちの少なくとも一方を屈曲することで、雪止板体３に対し取付体４を抜け止め状態に取付する構成とすれば、単に、取付体４を垂下板部３Ａと水平板部３Ｂの挿通孔５に挿通して、垂下板部３Ａと水平板部３Ｂの挿通孔５から突出する取付体４の両端部のうちの少なくとも一方を、例えばハンマーの打撃などによって屈曲するだけの作業で確固に取付体４を雪止板体３に取付でき、一層実用的となる。
【００１８】
また、例えば、前記取付体４の挿通基端部に、前記挿通孔５の孔幅よりも幅広な抜け止め部４Ａを形成し、この取付体４を前記雪止板体３の垂下板部３Ａの挿通孔５と水平板部３Ｂの挿通孔５とに挿通した際、前記抜け止め部４Ａを垂下板部３Ａ若しくは水平板部３Ｂの挿通孔５孔縁に当接すると共に、水平板部３Ｂ若しくは垂下板部３Ａの挿通孔５より突出する取付体４の挿通先端部を屈曲することで、雪止板体３に対し取付体４を抜け止め状態に取付する構成とすれば、単に、取付体４を垂下板部３Ａと水平板部３Ｂの挿通孔５に挿通して、その挿通先端部を例えばハンマーの打撃などによって屈曲するだけの作業で確実に取付体４を雪止板体３に対し抜け止め状態に取付できる。
【００１９】
また、例えば、前記雪止板体３の垂下板部３Ａに複数の挿通孔５を設けると共に、雪止板体３の水平板部３Ｂに複数の挿通孔５を設け、前記雪止アングル２の大きさに応じてこの垂下板部３Ａの各挿通孔５のいずれかと水平板部３Ｂの各挿通孔５のいずれかとを選択して前記取付体４を挿通配設することで、この取付体４を垂下板部３Ａと前記水平板部３Ｂとの間に架設状態に取付し得るように構成すれば、取付体４を挿通する挿通孔５を選択することで、様々な大きさの雪止アングル２に対して取付可能となるので、一層汎用性に秀れ、実用的となる。
【実施例】
【００２０】
本発明の具体的な実施例について図面に基づいて説明する。
【００２１】
本実施例は、折版屋根１の頂部１Ａ間の谷部１Ｂに配設される雪止板体３と、この雪止板体３を折版屋根１の頂部１Ａ間に架設固定される雪止アングル２に取付するための取付体４とから成る。
【００２２】
以下、具体的に説明すると、本実施例の雪止板体３は、前記雪止アングル２の垂下片部２Ａの外面に重合当接する垂下板部３Ａの上部に、前記雪止アングル２の水平片部２Ｂの上面に重合当接する水平板部３Ｂを連設状態に設け、この垂下板部３Ａを雪止部３Ａとして前記折版屋根１の谷部１Ｂ内に垂下配設し得るように構成している。
【００２３】
本実施例の取付体４は、この雪止板体３の垂下板部３Ａと水平板部３Ｂを前記雪止アングル２の垂下片部２Ａと水平片部２Ｂとに重合当接した際に、前記雪止板体３の垂下板部３Ａと前記水平板部３Ｂとの間に架設状態に取付することで前記雪止アングル２の垂下片部２Ａの端縁と水平片部２Ｂの端縁とに近接若しくは当接して雪止アングル２に対し雪止板体３を抜け止め状態とする構成としている。
【００２４】
また、本実施例では、前記雪止板体３の垂下板部３Ａと水平板部３Ｂとに挿通孔５を設け、この垂下板部３Ａの挿通孔５と水平板部３Ｂの挿通孔５とに前記取付体４を挿通配設することで、この取付体４を垂下板部３Ａと水平板部３Ｂとの間に架設状態に取付し得るように構成している。
【００２５】
更に具体的には、図１に示すように、一枚の帯板状の金属板に補強リブ６を長さ方向に沿って複数設けると共に、この金属板を略Ｌ形に屈曲形成して、垂下部が前記垂下板部３Ａ，水平部が水平板部３Ｂとなる前記雪止板体３を構成している。
【００２６】
また、垂下板部３Ａは、水平板部３Ｂの長さ寸法の三倍程度の長さ寸法を有するように設定し、図５に示すように、雪止アングル２から長く垂下するこの垂下板部３Ａ（雪止部３Ａ）が、前記谷部１Ｂの深い位置にまで配設して谷部１Ｂの積雪を良好に雪止し得るように構成している。尚、この雪止部３Ａは、図１〜図３において手前側となる表面で積雪を止める構成である。図５では、説明の都合上、折版屋根１をこの本雪止具付近で切り欠いて示している。図中符号８はアングル固定具である。
【００２７】
また、垂下板部３Ａの下端部は、その左右部を略三角形状に突出するように外形を形成することで、他の部位の横幅よりも幅広で前記谷部１Ｂの積雪を良好に雪止し得る横幅を備えた構成としている。
【００２８】
また、垂下板部３Ａの上部寄りに、雪止板体３の長さ方向に沿った並設状態にして前記挿通孔５を三箇所形成する一方、水平板部３Ｂの中間よりやや端部よりに、雪止板体３の長さ方向に沿った並設状態にして前記挿通孔５を三箇所形成している。
【００２９】
また、この合計六箇所の挿通孔５は、いずれも雪止板体３の長さ方向と直交する方向に長さを有する横長孔としている。
【００３０】
この挿通孔５に挿通する取付体４は、略Ｔ字形の金属板体を採用して構成している。
【００３１】
また、この取付体４は、幅狭側を挿通先端側として横長の前記挿通孔５に挿通可能な横幅を有する挿通部４Ｂとし、更にこの挿通部４Ｂの先端部を先細状に形成して挿通孔５へ挿通し易くしている。
【００３２】
この取付体４の挿通基端側の横広部は、挿通孔５の孔横幅よりも幅広な抜け止め部４Ａに形成して、この抜け止め部４Ａが垂下板部３Ａ若しくは水平板部３Ｂの挿通孔５孔縁に当接することで取付体４は挿通方向へは抜け止め状態となる構成としている。
【００３３】
また、この抜け止め部４Ａは、図２〜図４に示すように、垂下板部３Ａの挿通孔５と水平板部３Ｂの挿通孔５とに取付体４を斜設状態にして挿通した際、垂下板部３Ａの挿通孔５の孔縁若しくは水平板部３Ｂの挿通孔５の孔縁となる板面に対し略面接状態で当接して良好な抜け止め作用を発揮するように挿通先端側に対して傾斜折曲している。
【００３４】
本実施例では、図３，図４に示すように、この取付体４の挿通部４Ｂを前記雪止板体３の垂下板部３Ａの挿通孔５と水平板部３Ｂの挿通孔５とに挿通した際、前記抜け止め部４Ａを垂下板部３Ａ若しくは水平板部３Ｂの挿通孔５孔縁に当接すると共に、水平板部３Ｂ若しくは垂下板部３Ａの挿通孔５より突出する取付体４の挿通先端部を屈曲することで、雪止板体３に対し取付体４を抜け止め状態に取付する構成としている。尚、図面では、作業のし易さを考慮して水平板部３Ｂの挿通孔５から取付体４の挿通部４Ｂを挿通し、この挿通部４Ｂの挿通先端を垂下板部３Ａの挿通孔５に挿通して、この垂下板部３Ａの挿通孔５から外方へ突出する挿通部４Ｂ先端を垂下板部３Ａの板面に沿設状態となるように屈曲させた場合を示しているが、逆に垂下板部３Ａの挿通孔５から取付体４を挿通するようにしても良い。
【００３５】
また、この際、本実施例では、取付体４の図示上側の面が前記雪止アングル２の垂下片部２Ａの端縁と水平片部２Ｂの端縁とに当接して雪止アングル２に対し雪止板体３を抜け止め状態とする構成としている。即ち、雪止アングル２に対して本雪止具がガタつかず、高い取付強度で取付できて良好な雪止作用を発揮し得る構成としている。
【００３６】
また、本実施例では、この挿通部４Ｂの中程よりやや挿通先端側の両側縁部に、挿通孔５より突出する挿通部４Ｂの突出先端部の屈曲補助用の切欠溝７を形成して、この切欠溝７を両側縁部に形成した箇所は、他の部位に比して若干強度が低下するようにしている。そのため、この切欠溝７を指標としてその近傍をハンマーなどで打撃することで、この切欠溝７位置から挿通部４Ｂがきれいに屈曲されることになる構成としている。
【００３７】
また、この切欠溝７は、挿通部４Ｂの長さ方向に並設状態にして三箇所形成している。このように切欠溝７を三箇所形成するのは、取付体４が、折版屋根１に固定されている雪止アングル２の大きさに応じて挿通孔５を選択して挿通するからである。
【００３８】
即ち、本実施例では、小型の雪止アングル２の場合には、垂下板部２Ａの最も上側の挿通孔５と水平板部３Ｂの最も屈曲部側の挿通孔５とに架設状態に挿通配設し（図６の（ａ）参照。）、中型の雪止アングル２の場合には、垂下板部２Ａの真中の挿通孔５と水平板部３Ｂの真中の挿通孔５とに架設状態に挿通配設し（図６の（ｂ）参照。）、大型の雪止アングル２の場合には、垂下板部２Ａの最も下側の挿通孔５と水平板部３Ｂの最も端部側の挿通孔５とに架設状態に挿通配設（図１〜図５及び図６の（ｃ）参照。）するように構成している。
【００３９】
即ち、大・中・小三種類の大きさの雪止アングル２に対応してガタつきにくく高い取付強度で本雪止具を取付できるようにしているもので、前記切欠溝７も、この各時々に応じて位置を設定した三箇所に並設状態に形成してある。更に詳しくは、小型の雪止アングル２の場合には、抜け止め部４Ａ側の切欠溝７を利用して挿通部４Ｂを屈曲させ、中型の雪止アングル２の場合には、真中の切欠溝７を利用して挿通部４Ｂを屈曲させ、大型の雪止アングル２の場合には、挿通先端側の切欠溝７を利用して挿通部４Ｂを屈曲させる構成としている。
【００４０】
尚、本発明は、本実施例に限られるものではなく、各構成要件の具体的構成は適宜設計し得るものである。
【００４１】
例えば、本実施例では、取付体４を略Ｔ字形に形成して一端部（基端部）の横広部が挿通孔５に対して抜け止め状態となる構成とした場合を示したが、一端部に抜け止め用の横広部を有しない帯板で取付体４を構成して、垂下板部３Ａと水平板部３Ｂの挿通孔５に取付体４を挿通した際、この各挿通孔５から突出する取付体４の両端部を屈曲することで取付体４を抜け止め状態とする構成としても良い。
【図面の簡単な説明】
【００４２】
【図１】本実施例を示す分解斜視図である。
【図２】本実施例の雪止板部を雪止アングルに被嵌し、垂下板部と水平板部の挿通孔に取付体を架設状態に挿通配設した状態を示す斜視図である。
【図３】図２の状態から、取付体の挿通先端部を屈曲した取付完了状態を示す斜視図である。
【図４】図３の側断面図である。
【図５】本実施例の使用状態を示す説明斜視図である。
【図６】本実施例の異なる大きさの雪止アングルへの対応を示した説明図である。
【符号の説明】
【００４３】
１  折版屋根
１Ａ  頂部
１Ｂ  谷部
２  雪止アングル
２Ａ  垂下片部（雪止部）
２Ｂ  水平片部
３  雪止板体
３Ａ  垂下板部
３Ｂ  水平板部
４  取付体
４Ａ  抜け止め部
５  挿通孔
【図１】
2006291481.tif 000003
【図２】
2006291481.tif 000004
【図３】
2006291481.tif 000005
【図４】
2006291481.tif 000006
【図５】
2006291481.tif 000007
【図６】
2006291481.tif 000008